(57)【要約】【課題】ますの施工を容易化および省力化することができるます用蓋を提供する。【解決手段】ます用蓋１は、径方向の内方に凹んだシール溝２ａが形成された筒部２と、筒部２と一体的に形成されかつ筒部２の上方に位置する蓋部３とを備える。蓋部３の外径は、筒部２におけるシール溝２ａの上方の部分の外径よりも大きい。蓋部３の外周壁に、上方に凹んだ溝４が形成されている。【選択図】図１
2018091023.tif 000002
【特許請求の範囲】
【請求項１】
ますの立管に装着されるます用蓋であって、
径方向の内方に凹んだシール溝が形成された筒部と、
前記筒部と一体的に形成されかつ前記筒部の上方に位置する蓋部と、を備え、
前記蓋部の外径は、前記筒部における前記シール溝の上方の部分の外径よりも大きい、ます用蓋。
【請求項２】
前記蓋部の外周壁に、上方に凹んだ溝が形成されている、請求項１に記載のます用蓋。
【請求項３】
前記蓋部は、前記溝の周方向の一方を仕切る第１仕切壁と、他方を仕切る第２仕切壁とを有し、
前記蓋部の中心線に沿って見たときに、前記第１仕切壁と前記第２仕切壁とは互いに非平行である、請求項２に記載のます用蓋。
【請求項４】
前記蓋部の中心線に沿って見たときに、前記第１仕切壁と前記第２仕切壁とは同一直線上に位置している、請求項３に記載のます用蓋。
【請求項５】
前記蓋部の前記外周壁には、前記溝として少なくとも第１、第２、および第３の溝が形成され、
前記蓋部の中心線に沿って見たときに、前記第１の溝の中心と前記蓋部の中心とを通る直線は、前記第２の溝と前記第３の溝との間に位置する、請求項１〜４のいずれか一つに記載のます用蓋。
【請求項６】
前記蓋部の上面の外周縁は、径方向の外方に行くほど下方に向かうように延びている、請求項１〜５のいずれか一つに記載のます用蓋。
【請求項７】
前記蓋部の外径は、前記筒部における前記シール溝の下方の部分の外径よりも大きい、請求項１〜６のいずれか一つに記載のます用蓋。
【請求項８】
ますの立管に装着されたます用蓋を取り外す方法であって、
前記ます用蓋は、径方向の内方に凹んだシール溝が形成された筒部と、前記筒部と一体的に形成されかつ前記筒部の上方に位置する蓋部と、を備え、
前記蓋部の外径は、前記筒部における前記シール溝の上方の部分の外径よりも大きく、
前記蓋部の外周壁には、上方に凹んだ溝が形成されており、
前記溝に棒状部材の先端部を径方向の内方に向けて挿入する工程と、
前記棒状部材の根元部を上方に持ち上げることにより、前記棒状部材を前記立管の上端部を支点として回転させ、前記ます用蓋を前記立管から浮き上がらせる工程と、
を含んだ、ます用蓋を取り外す方法。
【請求項９】
ます本体と、前記ます本体の上方に配置された立管と、前記立管に装着される蓋とを備えるますを施工する方法であって、
前記立管の上端が地面よりも上方に位置付けられるように前記ます本体および前記立管を地中に埋める工程と、
前記立管の上端が地面と揃うように前記立管を切断する工程と、
前記蓋として、径方向の内方に凹んだシール溝が形成された筒部と、前記筒部と一体的に形成されかつ前記筒部の上方に位置する蓋部とを備え、前記蓋部の外径が前記筒部における前記シール溝の上方の部分の外径よりも大きい蓋を準備する工程と、
切断された前記立管の上に前記蓋を嵌め込む工程と、
を含んだ、ますの施工方法。
【発明の詳細な説明】
【技術分野】
【０００１】
本発明は、ます用蓋、ます用蓋の取り外し方法、および、ますの施工方法に関する。
【背景技術】
【０００２】
雨水ますや汚水ます等のますは、内部の点検が容易なように、地表付近に点検口を備えている。ますの内部に異物等が入り込まないように、点検口には蓋が装着される。点検の際には蓋を取り外し、地表からますの内部を点検する。
【０００３】
例えば特許文献１に記載されているように、従来のます用蓋は、ますの立管に接着等により固定される蓋枠と、蓋枠の内側に嵌め込まれる蓋本体とを備えている。ますの施工は、例えば以下のようにして行われる。まず、地面を掘り起こし、ますを設置する。次に、ますの立管の一部が地表から見える程度に、ますに土砂を被せる。次に、ますの立管を切断し、その立管の上に蓋枠を固定する。最後に、蓋枠の内側に蓋本体を嵌め込む。
【０００４】
ますの点検の際には、蓋本体の外周縁に形成された挿入溝にマイナスドライバの先端部を上方から挿入し、マイナスドライバの根元側部分を下方に押し下げる。これにより、てこの原理によって蓋本体が浮き上がり、蓋枠から取り外される。
【先行技術文献】
【特許文献】
【０００５】
【特許文献１】実開平７−４５５０号公報
【発明の概要】
【発明が解決しようとする課題】
【０００６】
ところで、立管と蓋本体との間には蓋枠が介在するので、施工の際に蓋本体の上面を地面とほぼ等しい高さに位置付けるためには、蓋枠の上下方向の寸法の分だけ、立管を地面よりも低い位置で切断する必要がある。そのため、立管を切断する作業は容易ではなく、立管の切断には特殊工具が必要であった。また、立管に蓋枠を固定する作業と、蓋枠に蓋本体を嵌め込む作業とが必要であり、施工に手間がかかっていた。
【０００７】
本発明はかかる点に鑑みてなされたものであり、その目的の一つは、ますの施工を容易化および省力化することができるます用蓋を提供することである。また、本発明の他の目的は、そのようなます用蓋を容易に取り外す方法を提供することである。また、本発明の他の目的は、容易かつ労力の少ないますの施工方法を提供することである。
【課題を解決するための手段】
【０００８】
本発明に係るます用蓋は、ますの立管に装着されるます用蓋であって、径方向の内方に凹んだシール溝が形成された筒部と、前記筒部と一体的に形成されかつ前記筒部の上方に位置する蓋部と、を備える。前記蓋部の外径は、前記筒部における前記シール溝の上方の部分の外径よりも大きい。
【０００９】
上記ます用蓋は、シール溝にシール部材を挿入した状態で筒部を立管の内部に挿入することにより、立管に装着される。筒部におけるシール溝の上方の部分の外径は、立管の内径とほぼ等しい。蓋部の外径は筒部におけるシール溝の上方の部分の外径よりも大きいので、立管の内径よりも大きい。よって、蓋部の外周部は立管によって支持される。上記ます用蓋は、蓋枠を介在させることなく立管に直接装着される。したがって、蓋枠が不要なので、施工の際に特殊工具を用いて立管を地面よりも低い位置で切断する必要がない。また、立管に蓋枠を固定する作業が不要である。よって、ますの施工を容易化および省力化することができる。
【００１０】
本発明の好ましい一態様によれば、前記蓋部の外周壁に、上方に凹んだ溝が形成されている。
【００１１】
上記態様によれば、マイナスドライバ等の棒状部材の先端部を溝に挿入し、棒状部材の根元部を上方に持ち上げることにより、棒状部材を立管の上端を支点として回転させ、ます用蓋を立管から浮き上がらせることができる。すなわち、てこの原理を利用して、小さな力でます用蓋を立管から取り外すことが可能となる。したがって、ますの点検時に、ます用蓋を容易に取り外すことができる。
【００１２】
本発明の好ましい他の一態様によれば、前記蓋部は、前記溝の周方向の一方を仕切る第１仕切壁と、他方を仕切る第２仕切壁とを有している。前記蓋部の中心線に沿って見たときに、前記第１仕切壁と前記第２仕切壁とは互いに非平行である。
【００１３】
上記態様によれば、例えば棒状部材の先端部を第１仕切壁に沿って挿入する場合と第２仕切壁に沿って挿入する場合とで、挿入方向を変えることができる。このように、棒状部材の先端部の挿入方向を適宜変更することができる。これにより、現場の状況（例えば、ます用蓋の立管に対する密着度）に応じて挿入方向を調整することによって、ます用蓋を取り外す作業を臨機応変に行うことができる。
【００１４】
本発明の好ましい他の一態様によれば、前記蓋部の中心線に沿って見たときに、前記第１仕切壁と前記第２仕切壁とは同一直線上に位置している。
【００１５】
上記態様によれば、棒状部材の先端部の挿入方向を最大１８０度変更することができる。挿入方向の自由度が大きいので、ます用蓋を取り外す作業を現場の状況に応じて更に臨機応変に行うことができる。
【００１６】
本発明の好ましい他の一態様によれば、前記蓋部の前記外周壁には、前記溝として少なくとも第１、第２、および第３の溝が形成されている。前記蓋部の中心線に沿って見たときに、前記第１の溝の中心と前記蓋部の中心とを通る直線は、前記第２の溝と前記第３の溝との間に位置する。
【００１７】
上記態様によれば、蓋部の中心線に沿って見たときに、第１〜第３の溝がます用蓋の半分の部分に集中的に配置されることがない。そのため、ます用蓋がコーナー部に設置された場合であっても、いずれかの溝に棒状部材の先端部を挿入することができ、ます用蓋を容易に取り外すことができる。
【００１８】
本発明の好ましい他の一態様によれば、前記蓋部の上面の外周縁は、径方向の外方に行くほど下方に向かうように延びている。
【００１９】
上記態様によれば、蓋部の上面の外周縁と地面との間の段差を小さくすることができる。
【００２０】
本発明の好ましい他の一態様によれば、前記蓋部の外径は、前記筒部における前記シール溝の下方の部分の外径よりも大きい。
【００２１】
上記態様によれば、蓋部の外径が大きいので、蓋部と地面との接触面積を大きくすることができる。よって、蓋部と地面との間からの埃等の侵入を抑制することができる。
【００２２】
本発明に係るます用蓋を取り外す方法は、ますの立管に装着された前記ます用蓋を取り外す方法であって、前記溝に棒状部材の先端部を径方向の内方に向けて挿入する工程と、前記棒状部材の根元部を上方に持ち上げることにより、前記棒状部材を前記立管の上端部を支点として回転させ、前記ます用蓋を前記立管から浮き上がらせる工程と、を含んでいる。
【００２３】
上記方法によれば、ます用蓋を容易に取り外すことができる。
【００２４】
本発明に係るますの施工方法は、前記立管の上端が地面よりも上方に位置付けられるように前記ます本体および前記立管を地中に埋める工程と、前記立管の上端が地面と揃うように前記立管を切断する工程と、前記ます用蓋を準備する工程と、切断された前記立管の上に前記蓋を嵌め込む工程と、を含んでいる。
【００２５】
上記施工方法によれば、蓋が装着されたますを容易かつ少ない労力で施工することができる。
【発明の効果】
【００２６】
以上のように、本発明によれば、ますの施工を容易化および省力化することができるます用蓋を提供することができる。また、そのようなます用蓋を容易に取り外す方法を提供することができる。また、容易かつ労力の少ないますの施工方法を提供することができる。
【図面の簡単な説明】
【００２７】
【図１】本発明の一実施形態に係るます用蓋およびますの鉛直断面図である。
【図２】前記ます用蓋の平面図である。
【図３】図２のＩＩＩ−ＩＩＩ線断面図である。
【図４】前記ます用蓋の裏面図である。
【図５】前記ます用蓋の斜視図である。
【図６】図１の部分拡大図である。
【図７】（ａ）および（ｂ）は前記ます用蓋の取り外し方法の説明図である。
【図８】溝に対するマイナスドライバの挿入方向を例示した、ます用蓋の裏面図である。
【発明を実施するための形態】
【００２８】
以下、図面を参照しながら、本発明の一実施形態に係るます用蓋（以下、単に蓋という）について説明する。
【００２９】
図１に示すように、蓋１は、ます１０の立管１２に装着されるものである。ます１０は、流入口２０および流出口２１を有するます本体１１と、ます本体１１の上部に固定された立管１２とを備えている。流入口２０および流出口２１には、それぞれ配管２５および２６が接続される。なお、ます１０の流入口２０および流出口２１の数は特に限定されない。立管１２は上下に延びており、立管１２の上端に点検口１３が形成されている。ここでは、ます本体１１と立管１２とは別体である。ます本体１１および立管１２は合成樹脂製であり、互いに接着されている。ただし、ます本体１１と立管１２とは一体物であってもよい。ます本体１１および立管１２の材料は特に限定されない。ここで説明するます１０の構成は一例に過ぎず、蓋１が装着されるます１０の構成は何ら限定されない。蓋１は、従来から公知の各種のますに装着することができる。ます１０の内部を流れる水は、汚水であってもよく、雨水であってもよい。
【００３０】
図２は蓋１の平面図である。図３は図２のＩＩＩ−ＩＩＩ線断面図である。図４は蓋１の裏面図である。図５は蓋１の斜視図である。図３に示すように、蓋１は、筒部２と、筒部２の上方に位置する蓋部３とを有している。筒部２と蓋部３とは一体物である。ここでは蓋１は合成樹脂製であり、筒部２と蓋部３とは一体成形されている。筒部２は円筒状に形成されている。蓋部３は円板状に形成されている。筒部２には、径方向の内方に凹んだシール溝２ａが形成されている。図１に示すように、シール溝２ａにはゴムパッキン等のシール部材１５が嵌め込まれる。
【００３１】
図３に示すように、蓋部３の外径ｄ３は、筒部２におけるシール溝２ａの上方の部分（以下、上方部分という）２ｂの外径ｄ２ｂよりも大きい。また、蓋部３の外径ｄ３は、筒部２におけるシール溝２ａの下方の部分（以下、下方部分という）２ｃの外径ｄ２ｃよりも大きい。上方部分２ｂの外径ｄ２ｂは下方部分２ｃの外径ｄ２ｃよりも小さい。ただし、ｄ２ｂはｄ２ｃと等しくてもよく、ｄ２ｃよりも大きくてもよい。
【００３２】
蓋部３の外周壁３ａには、上方に凹んだ溝４が形成されている（図４および図５参照）。本実施形態では、合計３つの溝４が形成されている。ただし、外周壁３ａに形成される溝４の数は３つに限らず、１つまたは２つであってもよく、４つ以上であってもよい。
【００３３】
溝４は、周方向の寸法４ａが上下方向の寸法４ｂ（図３参照）よりも大きい形状に形成されている。すなわち、孔４ｇはいわゆる横長の形状に形成されている。ただし、溝４を周方向の寸法が上下方向の寸法と等しい形状、または、周方向の寸法が上下方向の寸法よりも小さい形状に形成することも可能である。
【００３４】
溝４の周方向の一方は第１仕切壁４ｃによって仕切られ、他方は第２仕切壁４ｄによって仕切られている。本実施形態では、第１仕切壁４ｃと第２仕切壁４ｄとは、溝４の中央部４ｍにおいて連続している。ただし、第１仕切壁４ｃと第２仕切壁４ｄとは離間していてもよい。第１仕切壁４ｃと第２仕切壁４ｄとは、互いに非平行に形成されている。蓋部３の中心線に沿って見た場合に、第１仕切壁４ｃと第２仕切壁４ｄとの間隔は、蓋部３の中心側に行くにつれて狭くなっている。蓋部３の中心線に沿って見た場合に、第２仕切壁５ｄは第１仕切壁５ｃに対して傾いていてもよい。本実施形態では、蓋部３の中心線に沿って見た場合に、第１仕切壁４ｃと第２仕切壁４ｄとは、溝４の中央部４ｍと蓋部３の中心Ｃとを結ぶ直線Ｌ１と垂直な同一直線Ｌ２上に位置している。蓋部３の中心線に沿って見た場合に、第１仕切壁４ｃと第２仕切壁４ｄとがなす角θは１８０度である。ただし、θの値は１８０度に限られない。例えば、図４に仮想線で示すように、第１仕切壁５ｃと第２仕切壁５ｄとが離間し、かつ、第１仕切壁５ｃと第２仕切壁５ｄとのなす角が０度よりも大きくかつ１８０度未満の溝５を設けてもよい。本実施形態では、３つの溝４の形状および寸法は同じであるが、特に限定されない。３つの溝４の寸法または形状は同じであってもよく、異なっていてもよい。
【００３５】
図４の下の溝４を第１の溝、左上の溝４を第２の溝、右上の溝４を第３の溝と称すると、蓋部３の中心線に沿って見たときに、第１の溝４の中心と蓋部３の中心とを通る直線Ｌ１は、第２の溝４と第３の溝４との間に位置する。蓋１は、第１〜第３の溝４が蓋部３の半分の部分に集中的に配置されないように構成されている。本実施形態では、３つの溝４は、周方向に等間隔に形成されている。３つの溝４は１２０度間隔で形成されている。ただし、溝４の間隔は等間隔に限られない。
【００３６】
図３に示すように、蓋部３の上面の外周縁３ｂは、径方向の外方に行くほど下方に向かうように延びている。図１に示すように、蓋部３の外周縁３ｂは、地面ＧＬに向かって斜め下がりに傾斜している。これにより、蓋部３の外周端と地面ＧＬとの間に段差が生じないようになっている。なお、外周縁３ｂは平面であってもよく、曲面であってもよい。
【００３７】
以上が蓋１の構成である。図１に示すように、蓋１はます１０の立管１２に直接嵌め込まれる。蓋１と立管１２との間に蓋枠は不要である。
【００３８】
蓋部３の外周壁３ａには上方に凹んだ溝４が形成されているので、蓋１が立管１２に装着されたときに、図６に示すように、蓋部３と立管１２の上端部１２ａとの間に穴６が形成される。すなわち、溝４によって、穴６が形成される。本実施形態では、蓋部３には合計３つの溝４が形成されているので、蓋部３と立管１２の上端部１２ａとの間に合計３つの穴６が形成される。
【００３９】
ます１０の点検のために立管１２から蓋１を取り外す際には、マイナスドライバ等の棒状部材を好適に用いることができる。次に、図７を参照しながら、マイナスドライバ３０を用いて蓋１を取り外す方法について説明する。まず、図７（ａ）に示すように、溝４に（すなわち、穴６に）マイナスドライバ３０の先端部を径方向の内方に向けて挿入する。次に、マイナスドライバ３０の先端部を立管１２の上端部１２ａ（図６参照）に接触させたまま、マイナスドライバ３０の根元部を上方に持ち上げる（矢印Ｆ参照）。すると、マイナスドライバ１０は立管１２の上端部１２ａを支点として回転し、てこの原理により、蓋１の蓋部３はマイナスドライバ３０の先端部から上向きの大きな力を受ける。その結果、図７（ｂ）に示すように、蓋１の一部が立管１２から浮き上がる。このようにして、蓋１を立管１２から容易に取り外すことができる。
【００４０】
上記てこの原理の利用に際して、マイナスドライバ３０と立管１２の上端部１２ａとの接点が支点となり、マイナスドライバ３０と蓋部３との接点が作用点となる。ところで、マイナスドライバ３０を径方向に挿入した場合、支点と作用点との距離が比較的短いため、蓋１が立管１２に密着している場合またはマイナスドライバ３０に加える力が弱い場合、蓋１の一部を立管１２から十分に浮き上がらせることが難しい場合がある。しかし、本実施形態では溝４の第１仕切壁４ｃと第２仕切壁４ｄとが非平行であるので、マイナスドライバ３０の挿入角度を蓋１の径方向から接線方向へと変更することができる。蓋１の接線方向にマイナスドライバ３０を進入させることが可能である（図８参照）。よって、支点と作用点との距離を長くすることができ、比較的弱い力であっても蓋１の一部を立管１２から十分に浮き上がらせることができる。したがって、てこの原理を好適に利用することができ、蓋１を容易に取り外すことができる。
【００４１】
蓋１を立管１２に装着する際には、蓋部３が立管１２の上端部１２ａと接触するまで、筒部２を立管１２の内部に挿入する。これにより、蓋１を立管１２に容易に嵌め込むことができる。
【００４２】
次に、ますの施工方法の一例について説明する。まず、立管１２の上端が地面ＧＬよりも上方に位置付けられるようにます本体１１および立管１２を地中に埋める。詳しくは、まず、地面を掘り、ます本体１１を設置する。次に、ます本体１１の上に立管１２を接続する。そして、立管１２の上端が地面ＧＬよりも上方に位置付けられるように、ます本体１１および立管１２に土砂を被せ、ます本体１１および立管１２を地面に埋める。次に、立管１２の上端が地面ＧＬと揃うように立管１２を切断する。なお、この際、切断箇所は地面ＧＬと同じ高さにあるので、立管１２の外側から立管１２を切断することができる。立管１２の切断に際して、特殊な工具は不要である。また、立管１２の切断作業は容易である。次に、前述の蓋１を準備する。そして、切断後の立管１２の上に、蓋１を嵌め込む。このようにして、蓋１が装着されたます１０を施工することができる。
【００４３】
以上のように、本実施形態に係る蓋１は、シール溝２ａにシール部材１５を挿入した状態で筒部２を立管１２の内部に挿入することにより、立管１２に装着される。蓋部３の外径ｄ３は筒部２の上方部分２ｂの外径ｄ２ｂよりも大きく、立管１２の内径よりも大きい。よって、蓋部３の外周部は立管２によって支持される。本実施形態に係る蓋１は、蓋枠を介在させることなく立管１２に直接装着される。したがって、蓋枠が不要なので、施工の際に特殊工具を用いて立管１２を地面ＧＬよりも低い箇所で切断する必要がない。また、立管１２に蓋枠を固定する作業が不要である。よって、本実施形態に係る蓋１によれば、ます１０の施工を容易化および省力化することができる。
【００４４】
また、本実施形態に係る蓋１によれば、蓋部３の外周壁３ａに上方に凹んだ溝４が形成されている。マイナスドライバ３０等の棒状部材の先端部を溝４に挿入し、棒状部材の根元部を上方に持ち上げることにより、棒状部材を立管１２の上端部１２ａを支点として回転させ、蓋１を立管１２から浮き上がらせることができる。すなわち、てこの原理を利用して、小さな力で蓋１を立管１２から取り外すことが可能である。したがって、本実施形態に係る蓋１によれば、ます１０の点検時に容易に取り外すことができる。
【００４５】
溝４の形状は特に限定されないが、本実施形態では、周方向の寸法が上下方向の寸法よりも大きく形成されている。そのため、マイナスドライバ３０等のような先端部が平らな道具を用いて、蓋１を容易に取り外すことができる。
【００４６】
図４に示すように、蓋部３の中心線に沿って見たときに、溝４の第１仕切壁４ｃと第２仕切壁４ｄとは、互いに非平行である。そのため、図８に示すように、溝４に対してマイナスドライバ３０を異なる方向から挿入することができる。本実施形態に係る蓋１によれば、マイナスドライバ３０の先端部の挿入方向を適宜変更することができる。特に本実施形態によれば、蓋部３の中心線に沿って見たときに、第１仕切壁４ｃと第２仕切壁２ｄとは同一直線上に位置している。そのため、マイナスドライバ３０の挿入方向を１８０度の範囲内で自由に変更することができる。よって、現場の状況（例えば、蓋１の立管１２に対する密着度）に応じて挿入方向を調整することによって、蓋１を取り外す作業を臨機応変に行うことができる。
【００４７】
ところで、図４に仮想線で示すように、壁９Ａと壁９Ａに垂直な壁９Ｂとからなるコーナー部に蓋１が設置される場合があり得る。溝４が壁９Ａまたは壁９Ｂに近い場所にあると、壁９Ａまたは壁９Ｂが邪魔になって、溝４にマイナスドライバ等の道具を挿入する作業が難しくなる。しかし、本実施形態に係る蓋１によれば、前述の通り、溝４は分散配置されており、蓋１の半分の部分に集中的に配置されている訳ではない。そのため、蓋１がコーナー部に設置された場合であっても、容易に取り外すことができる。
【００４８】
また、本実施形態に係る蓋１によれば、蓋部３の上面の外周縁３ｂは、径方向の外方に行くほど下方に向かうように延びている（図３参照）。よって、図１に示すように、蓋部３の外周縁３ｂと地面ＧＬとの段差を小さくすることができ、あるいは、段差をなくすことができる。
【００４９】
本実施形態に係る蓋１によれば、蓋部３の外径ｄ３は、筒部２の下方部分２ｃの外径ｄ２ｃよりも大きい（図３参照）。蓋部３は外径ｄ３が大きく形成されている。よって、蓋部３と地面ＧＬとの接触面積を大きくすることができる。これにより、蓋部３と地面ＧＬとの間からの埃等の侵入を抑制することができる。
【符号の説明】
【００５０】
１      ます用蓋
２      筒部
２ａ    シール溝
３      蓋部
４      溝
４ｃ    第１仕切壁
４ｄ    第２仕切壁
１０      ます
１１      ます本体
１２      立管
１５      シール部材
３０      マイナスドライバ
ＧＬ      地面
【図１】
2018091023.tif 000003
【図２】
2018091023.tif 000004
【図３】
2018091023.tif 000005
【図４】
2018091023.tif 000006
【図５】
2018091023.tif 000007
【図６】
2018091023.tif 000008
【図７】
2018091023.tif 000009
【図８】
2018091023.tif 000010